(57)【要約】      （修正有）【課題】マイクロニードル部分に医薬的に有効量のＤＮＡワクチンを含有させたマイクロニードルアレイを提供する。【解決手段】皮膚内で溶解消失する多糖類を素材とするマイクロニードルにＤＮＡワクチンを含有させる。ＤＮＡワクチンがニワトリ卵白アルブミン（ＯＶＡ）発現プラスミドであるとき、Ｔｈ１免疫応答へと偏向した免疫誘導特性を有する。皮膚内で溶解消失する多糖類としては、ヒアルロン酸、デキストラン及びポリビニルピロリドンの混合物を用いることができる。【選択図】なし【特許請求の範囲】
【請求項１】
マイクロニードル部分に医薬的に有効量のＤＮＡワクチンを含有させた、基板上に皮膚内で溶解消失する複数のマイクロニードルを有するＤＮＡワクチンマイクロニードルアレイ。
【請求項２】
ＤＮＡワクチンがニワトリ卵白アルブミン（ＯＶＡ）発現プラスミドであることを特徴とする請求項１に記載のＤＮＡワクチンマイクロニードルアレイ。
【請求項３】
Ｔｈ１免疫応答へと偏向した免疫誘導特性を有することを特徴とする請求項２に記載のＤＮＡワクチンマイクロニードルアレイ。
【請求項４】
マイクロニードルの素材がヒアルロン酸、デキストラン及びポリビニルピロリドンであることを特徴とする請求項１から請求項３のいずれか１項に記載のＤＮＡワクチンマイクロニードルアレイ。
【請求項５】
前記ＤＮＡワクチンは溶着法によりマイクロニードルに溶着させていることを特徴とする請求項１ないし４のいずれか１項記載のＤＮＡワクチンマイクロニードルアレイ。
【発明の詳細な説明】
【技術分野】
【０００１】  本発明はＤＮＡワクチン経皮送達用マイクロニードルアレイに関する。
【背景技術】
【０００２】  感染症の世界的流行の脅威が増すと共に、感染症に対する唯一の予防手段であるワクチンの開発研究が重要となってきている。ワクチン開発には感染防御に有効な抗原の同定が不可欠である。これまでに実用化された多くのワクチンは弱毒化・無毒化した病原体そのもの（生ワクチン）か、病原体を構成する蛋白質や毒素蛋白質（不活化ワクチン）を抗原として使用している。しかし、これらワクチン抗原の中にはコストやシステムの面から大量供給が困難なものがあり、また不活化ワクチンに誘導される免疫応答の種類や持続性に問題を抱えるものも存在し、これらの欠点を克服できる新型のワクチン開発が注目されてきている。【０００３】  新型ワクチンとして、抗原蛋白質をコードしたプラスミドＤＮＡをワクチン抗原として利用するＤＮＡワクチンが最近脚光を浴びている（特許文献１）。ＤＮＡワクチンは、従来のワクチンに比べて製法が簡便でコストも抑えられるため、各種感染症やがん、アレルギー疾患などに対する新たなワクチンとして研究開発が世界的に進んでいる。【０００４】  薬物を体内に投入する方法として、従来皮下注射法、筋肉注射法や経口投与法がよく用いられてきた。しかし、経口投与法は消化器官や消化酵素による分解代謝作用により効率が悪く、注射投与法は苦痛を伴う他薬物の局所濃度の急上昇のため好ましくない。そのためワクチン投与の普及促進にはより簡便な経皮的投与手法の開発が望まれてきた。【０００５】  皮膚は、外界からの病原体進入という危機に常時さらされており、角質層という物理的バリアーと、その下層である表皮層に常在するランゲルハンス細胞を中心とした免疫バリアーを備えることで第一線の防御機構を形成している。従って、この防御機構を突破して、生きた表皮層にプラスミドＤＮＡを効率よく送達できれば、発現する抗原蛋白質を免疫系のランゲルハンス細胞が捕捉し、抗原特異的免疫応答を惹起できると考えられる。【０００６】  これらの問題を解決し、皮膚下の特定の場所に薬効成分を確実に供給する方法として、マイクロニードルが提案された（特許文献２）。マイクロニードルは非常に細いので皮膚角質層に刺入した際痛みも出血もなく且つ穿刺創は速やかに閉鎖されるので、皮膚下に薬物を確実に供給する方法として好適である。なお、基板上に複数のマイクロニードルを備えたものをマイクロニードルアレイという。さらにマイクロニードルアレイを皮膚上に固定するための粘着テープ等を備えたものをマイクロニードルパッチという。
マイクロニードルの材質として、生体内で溶解消失する物質が提案されている（特許文献３）。このようなマイクロニードルにワクチンを含有させて皮膚に刺入すると、マイクロニードルは皮膚内において溶解消失するので、皮膚の特定の場所にワクチンを確実に供給することができる。生体内で溶解消失する物質としては、ヒアルロン酸、コラーゲン、ゼラチン等の多糖類が提案（特許文献４）されている。【０００７】  ＤＮＡワクチン投与にマイクロニードル技術を利用した発明はすでにいくつか公開されている（特許文献５−１３）。特許文献５、６、１２は電極や電場を利用することを必須要件としており、装置的に煩雑であり本願発明とは基本的に異なる。特許文献７、１１はＤＮＡワクチンを薬剤として例示しているのみで、ＤＮＡワクチン投与に関する実施例は記載されていない。特許文献８は微小突起部材を用いるＤＮＡワクチン投与に関するが、超音波との併用が必須となっており、超音波の支援なしではＤＮＡワクチン投与は成功していない。特許文献９、１０は薬剤の弾道投与に関し、ＤＮＡワクチンマイクロニードルの実施例の記載はない。特許文献１３はシリコン製マイクロニードルを用いて皮膚表面を擦りむいてＤＮＡワクチンを投与する発明を開示しており、この方法で注射法とほぼ対等な効果を得ている。しかし特許文献１３においては、マイクロニードルは皮膚を擦りむくために使用されており、皮膚内で溶解消失するマイクロニードル中にＤＮＡワクチンを含有させて投与することは開示も示唆もしていない。
【先行技術文献】
【特許文献】
【０００８】
【特許文献１】特開平０８−１９８７７４号公報
【特許文献２】特表２００２−５１７３００号公報
【特許文献３】特開２００３−２３８３４７号公報
【特許文献４】特開２００８−２８４３１８号公報
【特許文献５】特表２００５−５０２３９９号公報
【特許文献６】特表２００５−５１３０６２号公報
【特許文献７】特表２００７−５０３２６８号公報
【特許文献８】特表２００７−５１８４６８号公報
【特許文献９】特表２００８−５４６７３３号公報
【特許文献１０】特表２０１０−５０２１７６号公報
【特許文献１１】特表２０１０−５１４４７９号公報
【特許文献１２】米国特許第６６０３９９８号明細書
【特許文献１３】米国特許第７７３１９６８号明細書
【発明の概要】
【発明が解決しようとする課題】
【０００９】  本発明が解決しようとする課題は、ワクチン抗原としてプラスミドＤＮＡを経皮的に投与可能な免疫製剤、すなわち「貼るＤＮＡワクチン製剤」を提供することにある。
皮膚内溶解型マイクロニードルを用いてプラスミドＤＮＡを経皮的に生体内に送達し、表皮層に存在するランゲルハンス細胞にプラスミドＤＮＡがコードする抗原蛋白質を捕捉させ認識させることにより、抗原特異的免疫反応応答を効率よく惹起することができる。プラスミドＤＮＡを角質下の皮膚組織内に確実に送達できる方法論を構築し、それによって抗原特異的な免疫応答誘導を達成するＤＮＡワクチン内臓マイクロニードルが提供できると考えられる。
【課題を解決するための手段】
【００１０】  本発明のＤＮＡワクチンマイクロニードルアレイは、マイクロニードル部分に医薬的に有効量のＤＮＡ抗原を含有させた、基板上に皮膚内で溶解消失する複数のマイクロニードルを有することを特徴とする。【００１１】  本発明のＤＮＡワクチンマイクロニードルアレイに含有されるＤＮＡワクチンとしては、例えばインフルエンザＨＡ抗原や腫瘍関連抗原等のＤＮＡを用いることができる。本発明におけるニワトリ卵白アルブミン（ＯＶＡ）発現プラスミドは抗体発現の例示ＤＮＡである。
さらにこのニワトリ卵白アルブミン（ＯＶＡ）発現プラスミドは、Ｔｈ１免疫応答（細胞性免疫応答）へと偏向した免疫誘導特性を有することを特徴とする。【００１２】  ランゲルハンス細胞は免疫系の司令塔として機能する抗原提示細胞であり、皮膚から生体に進入してきた病原体を捕捉して近傍のリンパ節へと移動し、抗原情報を免疫エフェクター細胞に伝達する。このランゲルハンス細胞の本来的な免疫学的機能を標的として経皮ＤＮＡワクチンを開発するには、プラスミドＤＮＡが皮膚最外層の物理的バリアーである角質層を突破する必要があり、皮膚内溶解型マイクロニードルの適用はプラスミドＤＮＡを安定に角質層下の皮膚組織へと到達することを可能とする。【００１３】
【発明の効果】
【００１４】  現在公表されているＤＮＡワクチンの多くは、プラスミドＤＮＡを皮下注射法や筋肉注射法により投与している。注射は痛みを伴うばかりでなく、注射針による感染症罹患の危険性や投与局所の腫脹や発熱といった副作用問題を孕んでいる。マイクロニードル技術を活用すれば、このような副作用を生じない、簡便で普及性に優れたＤＮＡワクチンを実用化できる。
本発明に基づき有効な経皮ＤＮＡワクチン製剤を開発・上市できれば、衛生環境的・医療技術的・経済的な問題を抱える開発途上国にワクチンが十分に行き渡っていない現状を打開し、新興・再興感染症に対する予防医療に大いに貢献できるものと確信する。
本発明の応用例は感染症予防に留まらず、がん、自己免疫疾患、アレルギー、アルツハイマー病などに対する新たな予防・治療法の開発にも期待が持たれる。【００１５】  ＤＮＡワクチンとしてニワトリ卵白アルブミン（ＯＶＡ）発現プラスミドを含有するマイクロニードルを使用すると、これを注射法で投与する場合や蛋白質ワクチンを利用する場合に比較して、Ｔｈ２免疫応答（体液性免疫応答：主に抗体の産生）よりもむしろＴｈ１免疫応答（細胞性免疫応答：主に細胞傷害性Ｔ細胞の活性化）へと偏向した免疫誘導特性を有する特徴が認められた。
がん、ウイルス感染症などに効果を発揮するワクチンは、Ｔｈ２免疫応答のみならず、Ｔｈ１免疫応答の誘導が必要である。また、自己免疫疾患やアレルギーはＴｈ１／Ｔｈ２免疫応答バランスの破綻が病因であるので、ワクチンによってどちらかに偏ったバランスを正常に戻せれば有効な治療法となる。このようにいずれかへ偏向した免疫誘導特性を有することは、このワクチンの新しい応用に繋がる。
【図面の簡単な説明】
【００１６】
【図１】本発明のマイクロニードルの断面図
【図２】ｐＨＭＣＭＶ５／ＯＶＡのプラスミドマップの図
【図３】血清中ＯＶＡ特異的抗体価の推移の図
【発明を実施するための形態】
【００１７】  次に、本発明を詳細に説明するが、本発明は実施例に限定されるものではない。
【実施例】
【００１８】（ニワトリ卵白アルブミン（ＯＶＡ）発現プラスミド生成法）
ＯＶＡ発現プラスミドは、以前に構築した図１に示されているｐＨＭＣＭＶ５／ＯＶＡを使用した。この手順の詳細は次の文献に記載されている。
１）水口裕之、マークＡ．ケイ（Ｈｉｒｏｙｕｋｉ  Ｍｉｚｕｇｕｃｈｉ  ａｎｄ  Ｍａｒｋ  Ａ．Ｋａｙ），改良された生体外連結法による組換えアデノウイルスベクターの効率的な構築（Ｅｆｆｉｃｉｅｎｔ  Ｃｏｎｓｔｒｕｃｔｉｏｎ  ｏｆ  ａ  Ｒｅｃｏｍｂｉｎａｎｔ  Ａｄｅｎｏｖｉｒｕｓ  Ｖｅｃｔｏｒ  ｂｙ  ａｎ  Ｉｍｐｒｏｖｅｄ  Ｉｎ  Ｖｉｔｒｏ  Ｌｉｇａｔｉｏｎ  Ｍｅｔｈｏｄ），ヒト遺伝子治療（Ｈｕｍａｎ  Ｇｅｎｅ  Ｔｈｅｒａｐｙ），米国、マリー・アン・ライバート社（Ｍａｒｙ  Ａｎｎ  Ｌｉｅｂｅｒｔ，Ｉｎｃ），１９９８年，９巻，１７号，２５７７−２５８３頁
２）水口裕之、マークＡ．ケイ（Ｈｉｒｏｙｕｋｉ  Ｍｉｚｕｇｕｃｈｉ  ａｎｄ  Ｍａｒｋ  Ａ．Ｋａｙ），Ｅ１およびＥ１／Ｅ４を欠損した組換えアデノウイルスベクターを構築するための簡便法（Ａ  Ｓｉｍｐｌｅ  Ｍｅｔｈｏｄ  ｆｏｒ  Ｃｏｎｓｔｒｕｃｔｉｎｇ  Ｅ１−ａｎｄ  Ｅ１／Ｅ４−Ｄｅｌｅｔｅｄ  Ｒｅｃｏｍｂｉｎａｎｔ  Ａｄｅｎｏｖｉｒａｌ  Ｖｅｃｔｏｒｓ），ヒト遺伝子治療（Ｈｕｍａｎ  Ｇｅｎｅ  Ｔｈｅｒａｐｙ），米国、マリー・アン・ライバート社（Ｍａｒｙ  Ａｎｎ  Ｌｉｅｂｅｒｔ，Ｉｎｃ），１９９９年，１０巻，１２号，２０１３−２０１７頁
３）岡田直貴、斎藤友美、舛永安繁、塚田有希子、中川晋作、水口裕之、森宏平、岡田裕香、藤田卓也、早川堯夫、眞弓忠範、山本昌（Ｎａｏｋｉ  Ｏｋａｄａ，Ｔｏｍｏｍｉ  Ｓａｉｔｏ，Ｙａｓｕｓｈｉｇｅ  Ｍａｓｕｎａｇａ，Ｙｕｋｉｋｏ  Ｔｓｕｋａｄａ，Ｓｈｉｎｓａｋｕ  Ｎａｋａｇａｗａ，Ｈｉｒｏｙｕｋｉ  Ｍｉｚｕｇｕｃｈｉ，Ｋｏｈｅｉ  Ｍｏｒｉ，Ｙｕｋａ  Ｏｋａｄａ，Ｔａｋｕｙａ  Ｆｕｊｉｔａ，Ｔａｋａｏ  Ｈａｙａｋａｗａ，Ｔａｄａｎｏｒｉ  Ｍａｙｕｍｉ，ａｎｄ  Ａｋｉｒａ  Ｙａｍａｍｏｔｏ），アルギニン−グリシン−アスパラギン酸配列を含むファイバー変異型アデノウイルスベクターを用いた効率的な抗原遺伝子形質導入は、ネズミ樹状細胞の抗腫瘍ワクチン効果と機能成熟を増強できる（Ｅｆｆｉｃｉｅｎｔ  Ａｎｔｉｇｅｎ  Ｇｅｎｅ  Ｔｒａｎｓｄｕｃｔｉｏｎ  Ｕｓｉｎｇ  Ａｒｇ−Ｇｌｙ−Ａｓｐ  Ｆｉｂｅｒ−Ｍｕｔａｎｔ  Ａｄｅｎｏｖｉｒｕｓ  Ｖｅｃｔｏｒｓ  Ｃａｎ  Ｐｏｔｅｎｔｉａｔｅ  Ａｎｔｉｔｕｍｏｒ  Ｖａｃｃｉｎｅ  Ｅｆｆｉｃａｃｙ  ａｎｄ  Ｍａｔｕｒａｔｉｏｎ  ｏｆ  Ｍｕｒｉｎｅ  Ｄｅｎｄｒｉｔｉｃ  Ｃｅｌｌｓ），癌研究（Ｃａｎｃｅｒ  Ｒｅｓｅａｒｃｈ），米国、米国癌学会（Ａｍｅｉｃａｎ  Ａｓｓｏｃｉａｔｉｏｎ  ｆｏｒ  Ｃａｎｃｅｒ  Ｒｅｓｅａｒｃｈ），２００１年，６１巻，２１号，７９１３−７９１９頁【００１９】  ｐＨＭＣＭＶ５／ＯＶＡはＥ．ｃｏｌｉ株ＤＨ５α（東洋紡績株式会社）にトランスフォーメーションして増幅した後、ＱＩＡＧＥＮ  Ｐｌａｓｍｉｄ  Ｇｉｇａ  Ｋｉｔ（ＱＩＡＧＥＮ株式会社）を用いて精製した。【００２０】  （皮膚内溶解型マイクロニードルの作製方法）
図１に本実施例のマイクロニードルの断面図を示す。本実施例で用いたマイクロニードルの材質とマイクロニードルに含めた薬物をまとめて表１に示す。マイクロニードルの材質は、マイクロニードルを構成する３成分の質量比で示す。抗原の濃度は、マイクロニードル質量に対する質量％で示す。【００２１】
【表１】
2013052202.tif 000002
【００２２】  本実施例で用いられているヒアルロン酸は（株）紀文フードケミファ製でその分子量は８０万（商品名：ＦＣＨ−８０ＬＥ）、デキストランは日本バルク薬品（株）製（商品名：デキストラン７０）、ポリビニルピロリドンはＢＡＳＦジャパン製（商品名：コリドン１２ＰＦ）である。また、本発明において分子量とは重量平均分子量であり、ゲルパーミェーションクロマトグラフィー（ＧＰＣ）により測定された量をいう。【００２３】  マイクロニードルは、根元直径０．２ｍｍ、先端直径０．０４ｍｍ、長さ０．８ｍｍの円錐台状であり、０．８ｍｍ間隔に格子状に配列されており、１ｃｍ２の円形パッチ型アレイでありマイクロニードルは１４４個形成されている。
各素材組成の混合物を水に溶解させて１０％固形分水溶液とした。この水溶液にＯＶＡ発現プラスミドを添加し、室温下マイクロニードル形成用凹部に充填し水分を蒸発して乾燥した後剥離してマイクロニードルアレイを製造した。
また、別の製造法として、マイクロニードルパッチを成形し、その針先をＤＮＡを溶解したヒアルロン酸水溶液に浸漬した後乾燥させて針先にＤＮＡを含有するマイクロニードルを製造することもできる（溶着法）。【００２４】  針部に３μｇのｐＨＭＣＭＶ５／ＯＶＡを装填した針長８００μｍのマイクロニードル（ＭＨ８００−ｐＨＭＣＭＶ５／ＯＶＡ）、ならびに針部に１０μｇのＯＶＡ蛋白質（Ｓｉｇｍａ−Ａｌｄｒｉｃｈ株式会社）を装填した針長８００μｍのマイクロニードル（ＭＨ８００−ＯＶＡ）を上に述べた方法に従って作製した。なお、ｐＨＭＣＭＶ５／ＯＶＡおよびＯＶＡ蛋白質の含量は、それぞれＰｉｃｏＧｒｅｅｎ  ａｓｓａｙ  ｋｉｔ（Ｍｏｌｅｃｕｌａｒ  Ｐｒｏｂｅｓ株式会社）およびＥＬＩＳＡ法にて定量した。【００２５】（ワクチン接種方法）
Ｃ５７ＢＬ／６マウスの除毛した背部皮膚にＭＨ８００−ｐＨＭＣＭＶ５／ＯＶＡあるいはＭＨ８００−ＯＶＡを６時間貼付した。この免疫操作を２週間隔で３回繰り返し、経日的に血清を回収した。また対照群のマウスには、同様のスケジュールで３μｇのｐＨＭＣＭＶ５／ＯＶＡを大腿外側に筋肉内注射した。なお、ＭＨ８００−ｐＨＭＣＭＶ５／ＯＶＡとＭＨ８００−ＯＶＡとではマイクロニードル当たりの薬物量が異なるが、両薬物は作用機構が異なるため、免疫操作の有効性を薬物投与量基準で判断することは困難である。【００２６】（血清中ＯＶＡ特異的抗体価の測定方法）
血清中のＯＶＡ特異的抗体価はＥＬＩＳＡ法により測定した。５０ｍＭ  ｂｉｃａｒｂｏｎａｔｅ  ｂｕｆｆｅｒ（ｐＨ９．６）に溶解したＯＶＡを０．５μｇ／５０μｌ／ｗｅｌｌで９６ウェルＥＬＩＳＡプレートに分注し、４℃で一晩インキュベーションすることでＯＶＡの固相化を行った。ブロッキング処理は、４％ブロックエース（ＤＳファーマバイオメディカル株式会社）溶液を２００μｌ／ｗｅｌｌ添加し、３７℃で２時間インキュベーションすることにより行った。血清検体を０．４％ブロックエース／ＴＢＳ−Ｔ（Ｔｒｉｓ−ｂｕｆｆｅｒｅｄ  ｓａｌｉｎｅ  ｃｏｎｔａｉｎｉｎｇ０．０５％Ｔｗｅｅｎ２０）を用いて連続２倍希釈し、ブロッキング液を除去したプレートに各希釈血清検体を５０μｌ／ｗｅｌｌ添加した。室温で２時間インキュベーションし、各ウェルをＴＢＳ−Ｔで３回洗浄した後、Ｈｏｒｓｅｒａｄｉｓｈ  ｐｅｒｏｘｉｄａｓｅ（ＨＲＰ）標識ヤギ抗マウスＩｇＧ抗体（Ｓｏｕｔｈｅｒｎ  Ｂｉｏｔｅｃｈ株式会社）、ＨＲＰ標識ヤギ抗マウスＩｇＧ１抗体（Ｓｏｕｔｈｅｒｎ  Ｂｉｏｔｅｃｈ株式会社）、あるいはＨＲＰ標識ヤギ抗マウスＩｇＧ２ｃ抗体（Ｓｏｕｔｈｅｒｎ  Ｂｉｏｔｅｃｈ株式会社）を５０μｌ／ｗｅｌｌで添加した。なお、各ＨＲＰ標識抗体は０．４％ブロックエース／ＴＢＳ−Ｔでメーカー推奨濃度に希釈して使用した。【００２７】  プレートを室温で２時間インキュベーションし、各ウェルをＴＢＳ−Ｔで３回洗浄後、ＨＲＰ基質溶液（ＴＭＢ，ｕｌｔｒａ  ｓｅｎｓｉｔｉｖｅ；Ｍｏｓｓ株式会社）を１００μｌ／ｗｅＩｌ添加した。適当な発色が認められるまでプレートを室温でインキュベーションした後、反応停止液として２Ｎ  Ｈ２ＳＯ４を５０μｌ／ｗｅｌｌ添加し、主波長４５０ｎｍ、副波長６５５ｎｍにて吸光度を測定した。各血清検体のＯＶＡ特異的抗体価は、無免疫マウスの同倍希釈血清検体よりも吸光度が０．１以上高い値を示す最大希釈倍率（２−ｘ）について、その逆数（２Ｘ）の２を底とする対数（ｌｏｇ２２ｘ＝Ｘ）を算出し、その値をＲｅｃｉｐｒｏｃａｌ  ｌｏｇ２  ｔｉｔｅｒとして表わした。【００２８】  本実験において測定した血清中ＯＶＡ特異的抗体価の推移を図２にまとめた。
ＭＨ８００−ｐＨＭＣＭＶ５／ＯＶＡを用いて経皮ワクチンしたマウスにおいては、１回のワクチン接種で血清中にＯＶＡ特異的ＩｇＧ抗体の産生が検出され、そのレベルは従来のＤＮＡワクチン（ｐＨＭＣＭＶ５／ＯＶＡの筋肉内注射）を受けたマウスと同等であった。しかしながら、これらＤＮＡワクチンを施した両群のＯＶＡ特異的ＩｇＧ抗体価は、ＯＶＡ蛋白質を経皮ワクチンした群（ＭＨ８００−ＯＶＡ群）の抗体価と比較すると明らかに低値であった。またＭＨ８００−ＯＶＡ群では複数回のワクチン接種によってＯＶＡ特異的ＩｇＧ抗体価の明らかな上昇（ブースト効果）が認められたのに対して、ＤＮＡワクチンの二群では２回目ワクチン接種以降の抗体価は初回ワクチン接種後と比較して大きな変化はなかった。したがって、プラスミドＤＮＡの投与経路の差異に拘わらず、ＤＮＡワクチンは蛋白質抗原を用いたワクチン手法と比較して抗体産生（体液性免疫応答）が誘導されにくいのではないかと推察された。【００２９】  そこで、ＤＮＡワクチンと蛋白質ワクチンの免疫誘導特性を比較する足掛かりとして、血清中ＯＶＡ特異的ＩｇＧ抗体のサブクラス解析を行った。ＭＨ８００−ｐＨＭＣＭＶ５／ＯＶＡ群ならびにｐＨＭＣＭＶ５／ＯＶＡ筋肉内注射群においては、Ｔｈ１型サブクラスとされるＩｇＧ２ｃの抗体価上昇は認められたものの、Ｔｈ２型サブクラスであるＩｇＧ１の抗体価については検出限界以下であった。一方、ＭＨ８００−ＯＶＡ群においてはＩｇＧ１およびＩｇＧ２ｃともに抗体価の上昇が認められ、それらのレベルはＴｈ２型であるＩｇＧ１が優位な傾向にあった。したがって、ＤＮＡワクチンは蛋白質ワクチンと比較するとＴｈ２免疫応答（体液性免疫応答）よりもむしろＴｈ１免疫応答（細胞性免疫応答）へと偏向した免疫誘導特性を有する可能性が示唆された。【００３０】  以上を総合すると、マイクロニードルを応用したＤＮＡ経皮ワクチンは、免疫誘導機序ならびに免疫応答特性に関する詳細な解析が必要とされるものの、従来の注射によるＤＮＡワクチンと同等の抗原特異的免疫応答を誘導できることが実証された。またＤＮＡ経皮ワクチンが細胞性免疫応答を優位に活性化できる可能性が示されたことは、ウイルス感染症や癌などのように予防や治療に細胞性免疫の働きが必要となる疾患への本アプローチの応用も期待される。
【符号の説明】
【００３１】  図２中のｐＨＭＣＭＶ５／ＯＶＡ：プラスミドの名称は次の通りである。
ｋｂｐ：キロベースペア。塩基数を表す単位で１ｋｂｐは１０００塩基対のこと。
ＯＶＡ：ニワトリ卵白アルブミンのｃＤＮＡ配列。
Ｏｒｉ：プラスミドの複製起点となる配列。
ＭＣＳ：マルチクローニングサイトの配列。様々な制限酵素に認識される配列が存在する部位であり、適当な制限酵素で切断することによって外来のＤＮＡ配列をプラスミドに挿入する。
Ｋａｎ「：カナマイシン耐性遺伝子（アミノグリコシド３’−ホスホトランスフェラーゼ）の配列。
ＣＭＶ：サイトメガロウイルスプロモーターの配列。真核生物において下流の遺伝子のｍＲＮＡ合成（転写）を開始させる。
ＢＧＨＰ（Ａ）：ウシ成長ホルモン由来ポリＡ付加シグナルの配列。遺伝子から転写されたｍＲＮＡの３’末端側にポリＡ配列を付加する。
残りの記号は全て制限酵素の名称であり、それぞれの制限酵素で切断される配列の存在を示しています。（数字）が付いているものはプラスミド内に複数（数字）の切断箇所があることを表します。
【図１】
2013052202.tif 000003
【図２】
2013052202.tif 000004
【図３】
2013052202.tif 000005